(57)【要約】【課題】掲載物の位置情報に基づいて、どのような地域に掲載物を掲示するのが宣伝効果を上げるために有効であるかを知るための基礎となる統計情報を掲載主に提供することができる掲載物関連情報収集管理システム等を提供すること。【解決手段】  掲載物２０の基本情報１４５を読み取ることができる携帯通信端末装置５０と、掲載物２０に関する統計情報を管理する統計管理装置８０と、を有する掲載物関連情報収集管理システム１０であって、携帯通信端末装置５０は、基本情報１４５と、携帯通信端末装置５０の使用者Ａの使用者識別記号とを含む統計基本情報を生成するための統計基本情報生成情報を格納する統計基本情報生成情報格納手段１６０等を有し、統計管理装置８０は、統計基本情報と、使用者属性情報に基づいて掲載物２０に関する統計情報を生成するための掲載物統計情報生成情報を格納する掲載物統計情報生成情報格納手段２０８等を有する。【選択図】図７
2005275726.tif 000002
【特許請求の範囲】
【請求項１】
掲載物に配置され、前記掲載物に関する基本情報を有する配置装置と、
前記配置装置から前記掲載物の基本情報を読み取ることができる読取装置を有する携帯通信端末装置と、
前記掲載物に関する統計情報を管理する統計管理装置と、
を有する掲載物関連情報収集管理システムであって、
前記基本情報は、前記掲載物の掲載物識別記号及び前記掲載物の位置情報を含み、
前記携帯通信端末装置は、
前記基本情報と、前記携帯通信端末装置の使用者の使用者識別記号とを含む統計基本情報を生成するための統計基本情報生成情報を格納する統計基本情報生成情報格納手段と、
前記統計管理装置に対して、前記統計基本情報を送信する統計基本情報送信手段と、を有し、
前記統計管理装置は、
あらかじめ格納している前記携帯通信端末装置の使用者属性情報を前記使用者識別記号に基づいて抽出するための使用者属性情報抽出情報を格納する使用者属性情報抽出情報格納手段と、
前記統計基本情報と、前記使用者属性情報に基づいて前記掲載物に関する統計情報を生成するための掲載物統計情報生成情報を格納する掲載物統計情報生成情報格納手段と、
を有することを特徴とする掲載物関連情報収集管理システム。  
【請求項２】
前記統計管理装置は、前記携帯通信端末装置に対して、前記位置情報に対応する付加情報を有する付加情報提供装置へ接続するための付加情報接続情報を格納する付加情報接続情報格納手段と、
前記携帯通信端末装置に対して、前記付加情報接続情報を送信する付加情報接続情報送信手段と、を有することを特徴とする請求項１に記載の掲載物関連情報収集管理システム。
【請求項３】
前記基本情報は、少なくとも前記掲載物の掲載物識別記号を含み、  
前記携帯通信端末装置は、位置情報衛星から取得した位置関連情報に基づいて前記掲載物の位置情報を生成するための掲載物位置情報生成情報を格納する掲載物位置情報生成情報格納手段を有することを特徴とする請求項１又は請求項２のいずれかに記載の掲載物関連情報収集管理システム。
【請求項４】
掲載物の掲載物識別記号と、前記掲載物の位置情報と、前記携帯通信端末装置の使用者の使用者識別記号とを含む統計基本情報を携帯通信端末装置から受信する統計基本情報受信手段と、
あらかじめ格納している前記使用者の使用者属性情報を前記使用者識別記号に基づいて抽出するための使用者属性情報抽出情報を格納する使用者属性情報抽出情報格納手段と、
前記統計基本情報と、前記使用者属性情報に基づいて前記掲載物に関する統計情報を生成するための掲載物統計情報生成情報を格納する掲載物統計情報生成情報格納手段と、
を有することを特徴とする統計管理装置。
【請求項５】
携帯通信端末装置が、掲載物に配置された配置装置から前記掲載物の基本情報を読み取る基本情報読取ステップと、
前記携帯通信端末装置が、前記基本情報から抽出した前記掲載物の掲載物識別記号と、前記基本情報から抽出した前記掲載物の位置情報と、前記携帯通信端末装置の使用者の使用者識別記号とを含む統計基本情報を生成する統計基本情報生成ステップと、
前記携帯通信端末装置が、前記掲載物に関する統計情報を管理する統計管理装置に対して、前記統計基本情報を送信する統計基本情報送信ステップと、
前記統計管理装置が、あらかじめ格納している前記使用者の使用者属性情報を前記使用者識別記号に基づいて抽出する使用者属性情報抽出ステップと、
前記統計管理装置が、前記統計基本情報と、前記使用者属性情報に基づいて前記掲載物に関する統計情報を生成する掲載物統計情報生成ステップと、
を有することを特徴とする掲載物関連情報収集管理方法。  
【請求項６】
前記統計基本情報送信ステップの後に、
前記統計管理装置が、前記携帯通信端末装置に対して、前記位置情報に対応する付加情報を有する付加情報提供装置へ接続するための付加情報接続情報を送信する付加情報接続情報送信ステップを有することを特徴とする請求項５に記載の掲載物関連情報収集管理方法。
【請求項７】
前記基本情報読取ステップでは、少なくとも前記掲載物の掲載物識別記号を含む前記基本情報を読み取り、
前記統計基本情報生成ステップでは、前記携帯通信端末装置が、前記基本情報から抽出した前記掲載物の掲載物識別記号と、位置情報衛星から取得した位置関連情報に基づいて生成した位置情報と、前記携帯通信端末装置の使用者の使用者識別記号とを含む統計基本情報を生成することを特徴とする請求項５又は請求項６のいずれかに記載の掲載物関連情報収集管理方法。  
【請求項８】
掲載物に関する統計情報を管理する統計管理装置が、掲載物の掲載物識別記号と、前記掲載物の位置情報と、携帯通信端末装置の使用者の使用者識別記号とを含む統計基本情報を携帯通信端末装置から受信する統計基本情報受信ステップと、
前記統計管理装置が、あらかじめ格納している前記使用者の使用者属性情報を前記使用者識別記号に基づいて抽出する使用者属性情報抽出ステップと、
前記統計管理装置が、前記統計基本情報と、前記使用者属性情報に基づいて前記掲載物に関する統計情報を生成する掲載物統計情報生成ステップと、
を有することを特徴とする統計管理装置の制御方法。
【請求項９】
コンピュータに、
掲載物に関する統計情報を管理する統計管理装置が、掲載物の掲載物識別記号と、前記掲載物の位置情報と、携帯通信端末装置の使用者の使用者識別記号とを含む統計基本情報を前記携帯通信端末装置から受信する統計基本情報受信ステップと、
前記統計管理装置が、あらかじめ格納している前記使用者の使用者属性情報を前記使用者識別記号に基づいて抽出する使用者属性情報抽出ステップと、
前記統計管理装置が、前記統計基本情報と、前記使用者属性情報に基づいて前記掲載物に関する統計情報を生成する掲載物統計情報生成ステップと、
を実行させることを特徴とする統計管理装置の制御プログラム。
【請求項１０】
コンピュータに、
掲載物に関する統計情報を管理する統計管理装置が、掲載物の掲載物識別記号と、前記掲載物の位置情報と、携帯通信端末装置の使用者の使用者識別記号とを含む統計基本情報を前記携帯通信端末装置から受信する統計基本情報受信ステップと、
前記統計管理装置が、あらかじめ格納している前記使用者の使用者属性情報を前記使用者識別記号に基づいて抽出する使用者属性情報抽出ステップと、
前記統計管理装置が、前記統計基本情報と、前記使用者属性情報に基づいて前記掲載物に関する統計情報を作成する掲載物統計情報生成ステップと、
を実行させることを特徴とする統計管理装置の制御プログラムを記録したコンピュータ読み取り可能な記録媒体。
【発明の詳細な説明】
【技術分野】
【０００１】
本発明は、掲載物関連情報収集管理システム、統計管理装置、掲載物関連情報収集管理方法、統計管理装置の制御方法、統計管理装置の制御プログラム及び統計管理装置の制御プログラムを記録したコンピュータ読み取り可能な記録媒体に関するものである。
【背景技術】
【０００２】
従来、物品にその物品に関する情報を格納したＲＦＩＤ（Ｒａｄｉｏ  Ｆｒｅｑｕｅｎｃｙ  Ｉｄｅｎｔｉｆｉｃａｔｉｏｎ）を取り付けて、その物品に関する情報の提供を行うサービスが知られている。
このようなサービスとして例えば、商品にその商品に関する情報を格納したＲＦＩＤを取り付け、ＲＦＩＤに格納されている情報を読み取った携帯電話を、その商品の詳細情報を提供するための商品情報サーバに接続させることによって、携帯電話の使用者に対してその商品の詳細情報を提供するサービスが提案されている。
【特許文献１】特開２００３−１９８４５１号公報（図１等）
【発明の開示】
【発明が解決しようとする課題】
【０００３】
しかし、例えば、映画のポスターなどの掲載物は、どのような地域に掲示するのが効果的であるかを知るための基礎となる情報を知ることが、掲載主にとって、宣伝効果を上げるために重要であるが、従来の技術では、このような情報を提供することはできないという問題がある場合があった。
すなわち、位置情報に基づいて、どのような地域に映画のポスターなどを掲示するのが宣伝効果を上げるために有効であるかを知るための基礎となる統計情報を提供することはできなかったのである。
【０００４】
そこで、本発明は、掲載物の位置情報に基づいて、どのような地域に掲載物を掲示するのが宣伝効果を上げるために有効であるかを知るための基礎となる統計情報を掲載主に提供することができる掲載物関連情報収集管理システム、統計管理装置、掲載物関連情報収集管理方法、統計管理装置の制御方法、統計管理装置の制御プログラム及び統計管理装置の制御プログラムを記録したコンピュータ読み取り可能な記録媒体を提供することを目的とする。
【課題を解決するための手段】
【０００５】
前記目的は、第１の発明によれば、掲載物に配置され、前記掲載物に関する基本情報を有する配置装置と、前記配置装置から前記掲載物の基本情報を読み取ることができる読取装置を有する携帯通信端末装置と、前記掲載物に関する統計情報を管理する統計管理装置と、を有する掲載物関連情報収集管理システムであって、前記基本情報は、前記掲載物の掲載物識別記号及び前記掲載物の位置情報を含み、前記携帯通信端末装置は、前記基本情報と、前記携帯通信端末装置の使用者の使用者識別記号とを含む統計基本情報を生成するための統計基本情報生成情報を格納する統計基本情報生成情報格納手段と、前記統計管理装置に対して、前記統計基本情報を送信する統計基本情報送信手段と、を有し、前記統計管理装置は、あらかじめ格納している前記携帯通信端末装置の使用者属性情報を前記使用者識別記号に基づいて抽出するための使用者属性情報抽出情報を格納する使用者属性情報抽出情報格納手段と、前記統計基本情報と、前記使用者属性情報に基づいて前記掲載物に関する統計情報を生成するための掲載物統計情報生成情報を格納する掲載物統計情報生成情報格納手段と、を有することを特徴とする掲載物関連情報収集管理システムにより達成される。
【０００６】
第１の発明の構成によれば、前記統計基本情報に含まれる前記掲載物の掲載物識別記号及び前記掲載物の位置情報と、前記使用者属性情報に基づいて掲載物に関する統計情報を生成することができる。
【０００７】
すなわち、前記掲載物識別記号によって例えば、特定の映画のポスターを識別することができ、前記位置情報によって、そのポスターが掲示されている地域に関する情報を取得することができる。また、前記使用者属性情報は例えば、性別、年齢等であり、そのポスターを見た人の属性に関する情報を取得することができる。
【０００８】
このため、前記統計管理装置は例えば、特定の映画のポスターごとに、そのポスターが掲示されている地域、そのポスターを見た人の性別、年齢等に統計情報を生成することができる。
従って、例えば、前記統計情報が特定の地域に掲示した映画のポスターを見た人は女性が多いという内容である場合には、その統計情報を閲覧したその映画のポスターの掲載主は、その地域は女性向きの映画のポスターを掲示する地域として宣伝効果が高いということを知ることができるのである。
【０００９】
これにより、掲載物の位置情報に基づいて、どのような地域に掲載物を掲示するのが宣伝効果を上げるために有効であるかを知るための基礎となる統計情報を掲載主に提供することができる。
【００１０】
第２の発明は、第１の発明の構成において、前記統計管理装置は、前記携帯通信端末装置に対して、前記位置情報に対応する付加情報を有する付加情報提供装置へ接続するための付加情報接続情報を格納する付加情報接続情報格納手段と、前記携帯通信端末装置に対して、前記付加情報接続情報を送信する付加情報接続情報送信手段と、を有することを特徴とする。
【００１１】
第２の発明の構成によれば、前記統計管理装置は、前記携帯通信端末装置に対して、前記位置情報に対応する付加情報を有する付加情報提供装置へ接続するための付加情報接続情報を送信することができる。  
このため、例えば、前記掲載物の近くでその掲載物を見ている前記携帯通信端末装置の使用者は、例えば、その使用者の現在位置の近傍で現在開催中のイベント情報など、まさにその位置に対応する付加情報を取得することができるのである。
【００１２】
これにより、掲載物の位置情報に基づいて、どのような地域に掲載物を掲示するのが宣伝効果を上げるために有効であるかを知るための基礎となる統計情報を掲載主に提供するとともに、掲載物の利用者には付加情報を提供することができるのである。
【００１３】
第３の発明は、第１又は第２の発明の構成において、前記基本情報は、少なくとも前記掲載物の掲載物識別記号を含み、前記携帯通信端末装置は、位置情報衛星から取得した位置関連情報に基づいて前記掲載物の位置情報を生成するための掲載物位置情報生成情報を格納する掲載物位置情報生成情報格納手段を有することを特徴とする。
【００１４】
上述のように、本発明の目的は、掲載物の位置情報に基づいて、どのような地域に掲載物を掲示するのが宣伝効果を上げるために有効であるかを知るための基礎となる統計情報を掲載主に提供することであるから、前記掲載物の位置情報は、一定の広がりをもった地域である例えば、半径１００メートルの範囲で十分である。
従って、前記掲載物をその近くで見ている前記使用者の前記携帯通信端末装置の位置は、前記掲載物の位置と同じとみなすことができる。
このため、前記配置装置の基本情報に前記掲載物の位置情報が含まれていないとしても、前記携帯通信端末装置によって前記掲載物の位置情報を生成することができるのである。
【００１５】
前記目的は、第４の発明によれば、掲載物の掲載物識別記号と、前記掲載物の位置情報と、前記携帯通信端末装置の使用者の使用者識別記号とを含む統計基本情報を携帯通信端末装置から受信する統計基本情報受信手段と、あらかじめ格納している前記使用者の使用者属性情報を前記使用者識別記号に基づいて抽出するための使用者属性情報抽出情報を格納する使用者属性情報抽出情報格納手段と、前記統計基本情報と、前記使用者属性情報に基づいて前記掲載物に関する統計情報を生成するための掲載物統計情報生成情報を格納する掲載物統計情報生成情報格納手段と、を有することを特徴とする統計管理装置によって達成することができる。
【００１６】
第４の発明の構成によれば、第１の発明と同様に、掲載物の位置情報に基づいて、どのような地域に掲載物を掲示するのが宣伝効果を上げるために有効であるかを知るための基礎となる統計情報を掲載主に提供することができる。  
【００１７】
前記目的は、第５の発明によれば、携帯通信端末装置が、掲載物に配置された配置装置から前記掲載物の基本情報を読み取る基本情報読取ステップと、前記携帯通信端末装置が、前記基本情報から抽出した前記掲載物の掲載物識別記号と、前記基本情報から抽出した前記掲載物の位置情報と、前記携帯通信端末装置の使用者の使用者識別記号とを含む統計基本情報を生成する統計基本情報生成ステップと、前記携帯通信端末装置が、前記掲載物に関する統計情報を管理する統計管理装置に対して、前記統計基本情報を送信する統計基本情報送信ステップと、前記統計管理装置が、あらかじめ格納している前記使用者の使用者属性情報を前記使用者識別記号に基づいて抽出する使用者属性情報抽出ステップと、前記統計管理装置が、前記統計基本情報と、前記使用者属性情報に基づいて前記掲載物に関する統計情報を生成する掲載物統計情報生成ステップと、を有することを特徴とする掲載物関連情報収集管理方法によって達成される。
【００１８】
第５の発明の構成によれば、第１の発明と同様に、掲載物の位置情報に基づいて、どのような地域に掲載物を掲示するのが宣伝効果を上げるために有効であるかを知るための基礎となる統計情報を掲載主に提供することができる。
【００１９】
第６の発明は、第５の発明の構成において、前記統計基本情報送信ステップの後に、前記統計管理装置が、前記携帯通信端末装置に対して、前記位置情報に対応する付加情報を有する付加情報提供装置へ接続するための付加情報接続情報を送信する付加情報接続情報送信ステップを有することを特徴とする。
【００２０】
第６の発明の構成によれば、第２の発明と同様に、掲載物の位置情報に基づいて、どのような地域に掲載物を掲示するのが宣伝効果を上げるために有効であるかを知るための基礎となる統計情報を掲載主に提供するとともに、掲載物の利用者には付加情報を提供することができる。
【００２１】
第７の発明は、第５又は第６の発明のいずれかの構成において、前記基本情報読取ステップでは、少なくとも前記掲載物の掲載物識別記号を含む前記基本情報を読み取り、前記統計基本情報生成ステップでは、前記携帯通信端末装置が、前記基本情報から抽出した前記掲載物の掲載物識別記号と、位置情報衛星から取得した位置関連情報に基づいて生成した位置情報と、前記携帯通信端末装置の使用者の使用者識別記号とを含む統計基本情報を生成することを特徴とする。
【００２２】
第７の発明の構成によれば、第３の発明と同様に、前記配置装置の基本情報に前記掲載物の位置情報が含まれていないとしても、前記携帯通信端末装置が前記掲載物の位置情報を生成することができる。
【００２３】
前記目的は、第８の発明によれば、掲載物に関する統計情報を管理する統計管理装置が、掲載物の掲載物識別記号と、前記掲載物の位置情報と、前記携帯通信端末装置の使用者の使用者識別記号とを含む統計基本情報を携帯通信端末装置から受信する統計基本情報受信ステップと、前記統計管理装置が、あらかじめ格納している前記使用者の使用者属性情報を前記使用者識別記号に基づいて抽出する使用者属性情報抽出ステップと、前記統計管理装置が、前記統計基本情報と、前記使用者属性情報に基づいて前記掲載物に関する統計情報を生成する掲載物統計情報生成ステップと、を有することを特徴とする統計管理装置の制御方法によって達成される。
【００２４】
前記目的は、第９の発明によれば、コンピュータに、掲載物に関する統計情報を管理する統計管理装置が、掲載物の掲載物識別記号と、前記掲載物の位置情報と、携帯通信端末装置の使用者の使用者識別記号とを含む統計基本情報を前記携帯通信端末装置から受信する統計基本情報受信ステップと、前記統計管理装置が、あらかじめ格納している前記使用者の使用者属性情報を前記使用者識別記号に基づいて抽出する使用者属性情報抽出ステップと、前記統計管理装置が、前記統計基本情報と、前記使用者属性情報に基づいて前記掲載物に関する統計情報を生成する掲載物統計情報生成ステップと、を実行させることを特徴とする統計管理装置の制御プログラムによって達成される。
【００２５】
前記目的は、第１０の発明によれば、コンピュータに、掲載物に関する統計情報を管理する統計管理装置が、掲載物の掲載物識別記号と、前記掲載物の位置情報と、携帯通信端末装置の使用者の使用者識別記号とを含む統計基本情報を前記携帯通信端末装置から受信する統計基本情報受信ステップと、前記統計管理装置が、あらかじめ格納している前記使用者の使用者属性情報を前記使用者識別記号に基づいて抽出する使用者属性情報抽出ステップと、前記統計管理装置が、前記統計基本情報と、前記使用者属性情報に基づいて前記掲載物に関する統計情報を作成する掲載物統計情報生成ステップと、を実行させることを特徴とする統計管理装置の制御プログラムを記録したコンピュータ読み取り可能な記録媒体によって達成される。
【発明を実施するための最良の形態】
【００２６】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００２７】
（第１の実施の形態）
図１は、本発明の第１の実施の形態に係る掲載物関連情報収集管理システム１０等を示す概略図である。
掲載物関連情報収集管理システム１０は、掲載物である例えば、映画Ｓのポスター２０（以後、ポスター２０と呼ぶ）と、ポスター２０に配置され、ポスター２０に関する基本情報を有する配置装置である例えば、ＲＦタグ（ＩＣタグともいう）３０を有する。
【００２８】
また、掲載物関連情報収集管理システム１０は、ＲＦタグ３０と情報の送受信を行い、ＲＦタグ３０からポスター２０の基本情報を読み取ることができる読取装置である例えば、ＲＦタグリーダ６２を有する携帯通信端末装置である例えば、カメラ付携帯電話機５０を有する。
【００２９】
また、掲載物関連情報収集管理システム１０は、ポスター２０に関する統計情報を管理する統計管理装置である例えば、管理サーバ８０を有する。掲載物関連情報収集管理システム１０はさらに、カメラ付携帯電話機５０に、ポスター２０の位置情報に対応する付加情報を有する付加情報提供装置である例えば、広告主サーバ９５を有する。
この管理サーバ８０及び広告主サーバ９５は、基地局７０及び例えばインターネット回線である通信網７２を介して、カメラ付携帯電話機５０と通信可能である。
【００３０】
ＲＦタグリーダ６２は、電波または電磁波を発信する。ＲＦタグ３０はこの電波または電磁波を受信すると、基本情報に基づいて応答信号を生成し、発信する。そして、ＲＦタグリーダ６２はその応答信号を受信し、読み取ることができる構成となっている。
【００３１】
（ポスター２０及びＲＦタグ３０等について）
図１に示すように、ポスター２０には、ＲＦ（Ｒａｄｉｏ  Ｆｒｅｑｕｅｎｃｙ）タグ３０が、カメラ付携帯電話機５０の使用者Ａに見えない場所に付されている。
【００３２】
（ＲＦタグ３０のハードウエア構成について）
図２は、ＲＦタグ３０のハードウエア構成を示す概略図である。
ＲＦタグ３０は、塩化ビニール等からなるタグ本体３０ａを有すると共に、そのタグ本体３０ａにはＩＣチップ３０ｂが配置されている。つまり、ＲＦタグ３０は、ＩＣタグである。
【００３３】
ＲＦタグ３０は、ＩＣ（集積回路）を有すると共に、非接触且つ近接することで情報の送受信を行うアンテナ部３０ｃを有している。このＲＦタグ３０は、ＲＦＩＤ（Ｒａｄｉｏ  Ｆｒｅｑｕｅｎｃｙ  Ｉｄｅｎｔｉｆｉｃａｔｉｏｎ：無線を用いた自動認識）を利用しているため、このアンテナ部３０ｃによって接触せずに電波を交信することで情報のやりとりが行える構成となっている。
アンテナ部３０ｃは、図１のカメラ付携帯電話機５０のＲＦタグリーダ６２からのＲＦタグ励振信号を受信し、ＲＦタグリーダ６２に対して応答信号を送信する。
【００３４】
（ＲＦタグ３０のソフトウエア構成について）
図３は、ＲＦタグ３０の主なソフトウエア構成等を示す概略図である。
図３に示すように、ＲＦタグ３０には、図１のＲＦタグリーダ６２から励振信号を受信し、ＲＦタグリーダ６２に対して基本情報に基づく応答信号を送信するタグ通信部１４０を有する。
ＲＦタグ３０はまた、各部を制御するタグ制御部１４２を有する。
【００３５】
ＲＦタグ３０はまた、基本情報である例えば、ポスター基本情報１４５を格納する基本情報格納手段である例えば、タグデータファイル１４４を有する。
図３に示すように、ポスター基本情報１４５は、ポスター２０の識別記号である例えば、ポスター識別記号１４５ａ及びポスター２０の位置情報である例えば、ポスター位置１４５ｂを含む。
ポスター基本情報１４５はさらに、１又は複数の番号からなるＵＲＬ番号１４５ｃ（関連情報が掲載されたＷｅｂページにアクセスするためのＵＲＬ情報を参照するためのインデックス番号）を含む。
【００３６】
（カメラ付携帯電話機５０について）
図１に示すように、カメラ付携帯電話機５０は、使用者Ａによって保持され、操作される。
カメラ付携帯電話機５０は、被写体とのインターフェースであるカメラレンズ５０ａと、使用者Ａが基地局７０と通信電波の送受信を行う通信アンテナ５０ｂとを有する。
カメラ付携帯電話機５０はまた、カメラ付携帯電話機５０内において生成された画像を表示する表示手段である例えば、液晶画面５０ｃを有する。
【００３７】
（カメラ付携帯電話機５０のハードウエア構成について）
図４はカメラ付携帯電話機５０の主なハードウエア構成を示す概略図である。
図４に示すように、カメラ付携帯電話機５０は、コンピュータを有しており、コンピュータは、バス５２を有する。
このバス５２には、ＣＰＵ（Ｃｅｎｔｒａｌ  Ｐｒｏｃｅｓｓｉｎｇ  Ｕｎｉｔ）５４、ＲＡＭ（Ｒａｎｄｏｍ  Ａｃｃｅｓｓ  Ｍｅｍｏｒｙ）５６、ＲＯＭ（Ｒｅａｄ  Ｏｎｌｙ  Ｍｅｍｏｒｙ）５８等が接続されている。
【００３８】
また、このバス５２には、図１のＲＦタグ３０に対してＲＦタグ励振信号を送信し、ＲＦタグ３０から応答信号を受信する等の処理を行うＲＦタグリーダ６２が接続されている。
バス５２には、また、表示装置である液晶画面５０ｃが接続されている。
【００３９】
バス５２には、さらに、通信装置５０ｄ、カメラ装置５０ｅ、操作部５０ｇ、電源５０ｈ及び時計５０ｉが接続されている。
なお、本実施の形態とは異なり、カメラ付携帯電話機５０は時計５０ｉを有していなくてもよい。
【００４０】
（カメラ付携帯電話機５０のソフトウエア構成について）
図５は、カメラ付携帯電話機５０の主なソフトウエア構成を示す概略図である。
図５に示すように、カメラ付携帯電話機５０には、図１のＲＦタグ３０に対して励振信号を送信し、ＲＦタグ３０からの応答信号を受信するＲＦタグリーダ部１５２を有する。
【００４１】
カメラ付携帯電話機５０はまた、図１の基地局７０と通信するための電話通信部１５４、及び各部を制御する端末制御部１５６を有する。
電話通信部１５４は、管理サーバ８０に対して後述する統計基本情報を送信する統計基本情報送信手段の一例でもある。
【００４２】
カメラ付携帯電話機５０はさらに、端末制御部１５６が、ＲＦタグ３０から受信した応答信号から図３に示すポスター基本情報１４５を抽出するためのポスター基本情報抽出情報を格納するポスター基本情報抽出情報格納用ファイル１５８を有する。
これにより、カメラ付携帯電話機５０は、ＲＦタグ３０からポスター基本情報１４５を取得することができる。
【００４３】
カメラ付携帯電話機５０はまた、ポスター基本情報１４５と、カメラ付携帯電話機５０の使用者Ａの使用者識別記号とを含む統計基本情報を生成するための統計基本情報生成情報を格納する統計基本情報生成情報格納手段である例えば、統計基本情報生成用データベース１６０を有する。
カメラ付携帯電話機５０は、ＲＦタグ３０からポスター基本情報１４５を受信した時刻である時刻情報を図４の時計５０ｉによって取得し、この時刻情報も含めて統計基本情報を生成する。
【００４４】
図３に示すように、ポスター基本情報１４５にはＵＲＬ番号１４５ｃを含むから、カメラ付携帯電話機５０は、このＵＲＬ番号に基づいて端末設定ファイル１６１に格納されている管理サーバ８０のＵＲＬを抽出して図１の管理サーバ８０に接続し、管理サーバ８０に対して、統計基本情報を提供することができる。
なお、ポスター基本情報１４５に含まれるポスター位置１４５ｂは、使用者Ａの選択によって、統計基本情報から除外することができる。
【００４５】
（管理サーバ８０のハードウエア構成について）
図６は、管理サーバ８０の主なハードウエア構成を示す概略図である。
図６に示すように、管理サーバ８０は、バス８２を有し、バス８２には、ＣＰＵ８４、ＲＡＭ８６、ＲＯＭ８８等が接続されている。
【００４６】
また、このバス８２には、図１のカメラ付携帯電話機５０と通信網７２及び基地局７０を介して通信するための管理サーバ通信装置９２が接続されている。
また、このバス８２には、各種情報を格納するための記録手段の一例であるハードディスク９４が接続されている。
【００４７】
（管理サーバ８０のソフトウエア構成について）
図７は、管理サーバ８０の主なソフトウエア構成を示す概略図である。
図７に示すように管理サーバ８０には、図６の管理サーバ通信装置９２に対応し、図１のカメラ付携帯電話機５０から上述の統計基本情報を受信等するための管理サーバ通信部２００を有する。
管理サーバ８０はまた、管理サーバ８０の各部を制御する管理サーバ制御部２０２を有する。
【００４８】
管理サーバ８０はまた、カメラ付携帯電話機５０の使用者Ａの使用者属性情報をあらかじめ格納している使用者情報格納手段である例えば、ユーザ情報格納用データベース２０６を有する。
図７に示すように、ユーザ情報格納用データベース２０６には使用者属性情報である例えば、ユーザ情報２０７が格納されている。
【００４９】
ユーザ情報２０７は例えば、使用者Ａを識別するためのユーザＩＤ、使用者Ａが掲載物関連情報収集関連システム１０の利用可能な登録者であることを認証するためのユーザ認証パスワードを含む。
さらに、ユーザ情報２０７は、使用者Ａの属性である例えば、女性であり、２８歳であり、独身である、という属性情報を含む。
ユーザ情報格納用データベース２０６には、図示しない使用者Ｂ、使用者Ｃ等、複数の
使用者のユーザ情報が格納されている。
【００５０】
管理サーバ８０は、管理サーバ制御部２０２が、あらかじめ上述のユーザ情報格納用データベース２０６に格納しているユーザ情報２０７を、カメラ付携帯電話機５０から取得した使用者Ａの使用者識別記号に基づいて抽出するための使用者属性情報抽出情報を格納する使用者属性情報抽出情報格納手段である例えば、ユーザ情報取得情報格納用データベース２０４を有する。
すなわち、カメラ付携帯電話機５０から取得した統計基本情報に含まれる使用者Ａの使用者識別記号はあらかじめ、管理サーバ８０にユーザ情報２０７のユーザＩＤとして登録されている。
このため、管理サーバ８０は、使用者Ａの使用者識別記号に基づいて、使用者Ａの属性情報を抽出することができるのである。
【００５１】
管理サーバ８０はまた、カメラ付携帯電話機５０から取得した統計基本情報と、管理サーバ８０が有しているユーザ情報２０７に基づいて、ポスター２０に関する統計情報である例えば、統計データ２１１を生成するための掲載物統計情報生成情報を格納する掲載物統計情報生成情報格納手段である例えば、統計データ生成情報格納用データベース２０８を有する。
上述のように、統計基本情報には、ポスター基本情報１４５と、カメラ付携帯電話機５０がポスター基本情報を受信した時刻情報及びカメラ付携帯電話機５０の使用者Ａの使用者識別記号とを含む。ポスター基本情報１４５は、図３に示すように、ポスター識別記号１４５ａとしてＡ００１という情報が、ポスター位置１４５ｂとして新宿という情報を含む。
【００５２】
管理サーバ制御部２０２は、上述の統計基本情報に含まれる使用者Ａの使用者識別記号から管理サーバ８０が有しているユーザ情報２０７から使用者Ａの属性情報を抽出する。
そして、管理サーバ制御部２０２は、上述の統計基本情報に含まれるポスター識別記号１４５ａとしてのＡ００１という情報と、ポスター位置１４５ｂとしての新宿という情報と、ユーザ情報２０７から抽出した使用者Ａの属性情報と、カメラ付携帯電話機５０がポスター１４５ａのＲＦタグ３０からポスター基本情報を受信した時刻情報から、図７に示す統計データ２１１を生成することができる。  
管理サーバ制御部２０２は、図示しない使用者Ｂ、使用者Ｃ等がポスター２０等をみた場合にも、上記と同様に統計データを生成し、統計データ格納用データベース２１０に格納する。
これらの統計データは、使用者Ａ等がポスター２０等を見た機会ごとに、他のデータと識別するための一意の識別記号を付されて、統計データ格納用データベース２１０に格納されている。すなわち、統計データは、累積的に保存される。
【００５３】
管理サーバ８０はまた、管理サーバ制御部２０２が、ポスター２０の広告主に図７の統計データ２１１の閲覧を許可するための広告主情報２１５を取得するための広告主情報取得情報格納用データベース２１２を有する。広告主情報２１５は、広告主情報格納用データベース２１４に格納されている。
例えば、図１の広告主サーバ９５によって管理サーバ８０に接続した広告主から送信された広告主ＩＤと広告主認証パスワードが、広告主情報格納用データベース２１４に格納されているものと一致する場合には、管理サーバ制御部２０２はその広告主に対して、閲覧可能なポスター識別記号の情報を送信する。閲覧可能なポスター識別記号の情報は図７に示すように、広告主情報２１５に含まれる。
【００５４】
これにより、広告主は、統計データ２１１を閲覧することができる。統計データ２１１の情報によって例えば、映画Ｓのポスター２０が、新宿において、４０歳未満の女性に多く閲覧されているというものであれば、その地域には４０歳未満の女性に人気のある映画のポスターを掲示するのが有効であることを知ることができる。
【００５５】
管理サーバ８０はまた、カメラ付携帯電話機５０から取得した統計基本データに含まれるポスター識別記号１４５ａに基づいて、図７の映画基本情報格納用データベース２１８に格納されている映画基本情報２１９を取得するための映画基本情報取得情報を格納する映画基本情報取得情報格納用データベース２１６を有する。
これにより、ポスター識別記号１４５ａに対応する例えば、映画Ｓが映画館Ｐにおいて上映中である旨の映画基本情報２１９を取得することができる。
この映画基本情報２１９を、カメラ付携帯電話機５０に送信することで、使用者Ａに対して基本的な情報提供を行うことができる。
【００５６】
管理サーバ８０はまた、カメラ付携帯電話機５０に対して、統計基本データに含まれるポスター位置１４５ｂに対応する付加情報を有する付加情報提供装置である例えば、広告主サーバ９５へ接続するための付加情報接続情報を格納する付加情報接続情報格納手段である例えば、所在位置対応情報取得用ＵＲＬ取得情報格納用データベース２２０を有する。
所在位置対応情報取得用ＵＲＬ取得情報格納用データベース２２０は、所在位置対応情報取得用ＵＲＬ格納用データベース２２２から、所在位置の属する位置範囲に対応させて、現時点で有効な所在位置対応情報を提供することができる所在位置対応情報取得用ＵＲＬを抽出することができる。
所在位置対応情報取得用ＵＲＬは例えば、位置範囲が新宿であれば、ｈｔｔｐ；／／ｗｗｗ．ｉｃｈｉｔａｉｏｕという接続先アドレスである。
また、図７に示すように、位置範囲は、２点の位置情報で表される矩形内でもよいし、中心点の位置情報と半径でもよい。
【００５７】
図３に示すように、ポスター位置１４５ｂは新宿である。また統計基本データには、カメラ付携帯電話機５０がポスター基本情報を取得した時刻情報も含まれている。この時刻情報の時刻から管理サーバ８０が統計基本データを取得するまでの時間は例えば１０秒という短時間である。
したがって、管理サーバ８０は、新宿という地域に対応する所在位置対応情報である例えば、新宿において映画Ｓの主演俳優のサイン会を現在行っている最中であるという情報を取得するための接続情報である所在位置対応情報取得用ＵＲＬを、今まさに新宿に位置するカメラ付携帯電話機５０に送信することができるのである。この接続情報は例えば、図１の広告主サーバ９５が保持する特定のホームページのアドレスである。
上記所在位置対応情報取得用ＵＲＬ（付加情報接続情報）は、図６の管理サーバ通信装置９２によって送信される。
すなわち、管理サーバ通信装置９２は、カメラ付携帯電話機５０に対して、付加情報接続情報を送信する付加情報接続情報送信手段の一例である。  
【００５８】
なお、カメラ付携帯電話機５０の使用者Ａの選択によって統計基本データが、ポスター位置１４５ｂを含まない場合には、管理サーバ８０の管理サーバ制御部２０２は、図７の一般情報提供用ＵＲＬ取得情報格納用データベース２２４に格納されている一般情報提供用ＵＲＬ取得情報に基づいて、図７の一般情報提供用ＵＲＬ格納用データベース２２６に含まれる一般情報提供用ＵＲＬ２２７を取得して、カメラ付携帯電話機５０に送信することができる。
一般情報提供用ＵＲＬ２２７は例えば、広告主サーバ９５が保持するホームページの特定のアドレスであるｈｔｔｐ：／／ｗｗｗ．ｋｏｕｋｏｋｕｎｕｓｈｉ１という接続アドレスである。
一般情報は、ポスター位置１４５ｂとは関係のない例えば、映画Ｓの主演男優の次の主演映画の期間限定画像である。
【００５９】
以上が本実施の形態に係る掲載物関連情報収集管理システム１０の構成であるが、以下、掲載物関連情報収集管理システム１０全体の動作例を主に図８を使用して説明する。その後、ＲＦタグ３０、カメラ付携帯電話機５０、管理サーバ８０及び広告主サーバ９５のそれぞれの動作例について説明する。
図８は本実施の形態に係る掲載物関連情報収集管理システム１０の動作例を示す概略フローチャートである。
【００６０】
カメラ付携帯電話機５０の使用者Ａが２８歳の独身女性であって、新宿において映画Ｓのポスター２０を見ているとする。また、Ａを含めて、新宿においてポスター２０は１週間に１０００人の４０歳未満の独身女性に見られたという前提で、以下、説明する。
ステップＳＴ１及びステップＳＴ２は、カメラ付携帯電話機５０が、ポスター２０に配置されたＲＦタグ３０からポスター２０の基本情報１４５を読み取る基本情報読み取りステップの一例である。
カメラ付携帯電話機５０は、ＲＦタグ３０からポスター基本情報１４５に基づく応答信号を受信し（ステップＳＴ１）、その応答信号からポスター基本情報１４５を抽出する（ステップＳＴ２）。
【００６１】
ステップＳＴ３は、カメラ付携帯電話機５０が、ポスター基本情報１４５から抽出したポスター２０のポスター識別記号１４５ａと、ポスター位置１４５ｂと、カメラ付携帯電話機５０の使用者Ａの使用者識別記号とを含む統計基本情報を生成する統計基本情報生成ステップの一例である。
ここで、カメラ付携帯電話機５０がＲＦタグ３０から応答信号を受信した時刻である時刻情報も含めて統計基本情報が生成される。
【００６２】
ステップＳＴ４は、カメラ付携帯電話機５０が、管理サーバ８０に対して、ステップＳＴ３で生成した統計基本情報を送信する統計基本情報送信ステップの一例である。
【００６３】
ステップＳＴ５１は、管理サーバ８０が、あらかじめ格納している使用者Ａの使用者属性情報を上述の使用者識別記号に基づいて抽出する使用者属性情報抽出ステップである。
具体的には、図７の管理サーバ制御部２０２が、ユーザ情報格納用データベース２０６に格納されている使用者Ａのユーザ情報２０７、すなわち、２８歳の独身女性であるという情報を抽出する。
【００６４】
ステップＳＴ５２は、管理サーバ８０が、統計基本情報と、使用者属性情報に基づいてポスター２０に関する統計情報を生成する掲載物統計情報生成ステップの一例である。
具体的には、管理サーバ制御部２０２が、統計基本情報に含まれるポスター識別記号と、使用者属性情報等に基づいて、統計データ２１１を生成し、統計データ格納用データベース２１０に格納する。
なお、管理サーバ８０は、図示しない使用者Ｂ、使用者Ｃ等、複数の使用者について、使用者Ａと同様に統計データを生成し、統計データ格納用データベース２１０に格納する。
【００６５】
ステップＳＴ５３においては、ポスター２０の広告主が、管理サーバ８０に対して統計データの閲覧を要求する。
図７の管理サーバ制御部２０２は、広告主情報格納用データベース２１４に格納されている広告主情報２１５の広告主ＩＤ等によってその広告主に統計データの閲覧が可能であるポスター２０等の識別記号を送信する。
【００６６】
広告主がポスター２０の統計データを要求すると、管理サーバはポスター２０の統計データを広告主に送信する（ステップＳＴ５４）。
これにより、ポスター２０の広告主は、ポスター２０が新宿において例えば、１週間に１０００人の４０歳未満の独身女性に見られたという統計データを得ることができ、新宿においては４０歳未満の独身女性に人気のある映画のポスターを掲示することが宣伝広告を高めるために有効であることを知ることができるのである。
【００６７】
一方、カメラ付携帯電話機５０の使用者Ａは、以下のステップＳＴ６１以下によって、以下のような情報を得ることができる。
すなわち、ステップＳＴ６１は、カメラ付携帯電話機５０が統計基本情報を管理サーバ８０に送信した後のステップであって、管理サーバ８０が、カメラ付携帯電話機５０に対して、ポスター位置１４５ｂに対応する付加情報を有する付加情報提供装置である例えば、図１の広告主サーバ９５へ接続するための付加情報接続情報を送信する付加情報接続情報送信ステップの一例である。
【００６８】
カメラ付携帯電話機５０が、付加情報接続情報である例えば、広告主サーバ９５への接続アドレスを取得して、広告主サーバ９５へ接続すると、新宿において現在、映画Ｓの主演俳優のサイン会が開催されているという付加情報を取得することができる（ステップＳＴ６２）。
この付加情報は、使用者Ａの現在位置である新宿における現在の情報であるから、使用者Ａは、上述のサイン会に駆けつけることができるのである。
【００６９】
次に、ＲＦタグ３０、カメラ付携帯電話機５０、管理サーバ８０及び広告主サーバ９５のそれぞれの動作例について説明する。
【００７０】
（ＲＦタグ３０の動作例について）
図９はＲＦタグ３０の動作例を示す図である。
図９は、図８のステップＳＴ１に対応する、ＲＦタグ３０の動作例を示している。
【００７１】
図３のＲＦタグ３０は、カメラ付携帯電話機５０から電波を受信する（ステップＳＴ１０１）ことにより起動し（ステップＳＴ１０２）、タグ制御部１０３がポスター基本情報１４５を信号化して（ステップＳＴ１０３）、タグ通信部１４０により信号化された情報を発信する（ステップＳＴ１０４）。この信号を、カメラ付携帯電話機５０が受信するのである（図８のステップＳＴ１）．
【００７２】
（カメラ付携帯電話機５０の動作例について）
図１０は、カメラ付携帯電話機５０の動作例を示す図である。
図１０は、図８のステップＳＴ１乃至ステップＳＴ４、ステップＳＴ６１及びステップＳＴ６２に対応するカメラ付携帯電話機５０の動作例を示している。
【００７３】
図５のカメラ付携帯電話機５０は、ＲＦタグ３０（図３参照）に電波を送信する（ステップＳＴ２０１）によって、ＲＦタグ３０を起動させ、ＲＦタグ３０に格納されたポスター基本情報１４５を受信する（ステップＳＴ２０２）。このとき、ポスター位置情報１４５ｂも受信する（ステップＳＴ２０３）。
続いて、カメラ付携帯電話機５０は、図４の液晶画面（表示部）に、ＲＦＩＤ情報５０ｃａを表示する。ＲＦＩＤ情報５０ｃａは、ポスター識別記号（ＲＦＩＤ）等からなり、カメラ付携帯電話機５０の使用者Ａが、現在位置の位置情報を送信するかの選択、ユーザＩＤの入力、パスワードの入力、ユーザＩＤ及びパスワードの保存の選択ができるようになっている。
【００７４】
続いて、カメラ付携帯電話機５０は、図７の管理サーバ８０に接続し（ステップＳＴ２０５）、管理サーバ８０にユーザ認証の実施させる（ステップＳＴ２０６）。ユーザ認証ができない場合には、図４の液晶画面に認証エラーを表示して（ステップＳＴ２１６）、終了する。
一方、ユーザ認証ができた場合には、カメラ付携帯電話機５０は図７の管理サーバ８０にポスター識別番号等の情報を送信する（ステップＳＴ２０７）。
続いて、カメラ付携帯電話機５０は図７の管理サーバ８０からＨＴＭＬ（ＨｙｐｅｒＴｅｘｔ  Ｍａｒｋｕｐ  Ｌａｎｇｕａｇｅ）ファイルを受信し（ステップＳＴ２０８）、そのＨＴＭＬファイルに格納されたＨＴＭＬ情報５０ｃｂを表示する（ステップＳＴ２０９）。ＨＴＭＬ情報５０ｃｂには、ＲＦＩＤ基本情報５００と、追加の情報を得るためのアドレスを示すアクセス先情報５０１が含まれる。
【００７５】
図１１は、図１０に示すアクセス先情報５０ｃｂとは別のアクセス先情報５０ｃｃ等を示す図である。
図１１に示すように、アクセス先情報５０ｃｃに示されるアドレスにアクセスすると、期間限定画像（５０ｃｄ）の配信を受けたり、動画（５０ｃｅ）の配信を受けたりすることができる。
【００７６】
（管理サーバ８０の動作例について）
図１２は、管理サーバ８０の動作例を示す図である。
図１２は、図８のステップＳＴ４、ステップＳＴ５１、ステップＳＴ５２及びステップＳＴ６１に対応する、管理サーバ８０の動作例を示している。
管理サーバ８０は、カメラ付携帯電話機５０のユーザ認証を完了すると（ステップＳＴ３０１）、ユーザＩＤに基づいてユーザ情報２０７（図７参照）から属性情報（女性、２８歳、独身）を取得する（ステップＳＴ３０２）。
【００７７】
続いて、管理サーバ８０は、ポスター基本情報１４５（図３参照）を取得し（ステップＳＴ３０３）、ＵＲＬ情報（管理サーバＵＲＬ１４５ｃ）を確認し（ステップＳＴ３０４、ＵＲＬ情報からアクセス先ＵＲＬ（ｈｔｔｐ：／／ｋａｎｒｉ）を取得する（ステップＳＴ３０５）。
【００７８】
続いて、管理サーバ８０は、カメラ付携帯電話機５０から受信した情報に位置情報があることを確認すると（ステップＳＴ３０６），位置情報からＵＲＬ番号を取得し（ステップＳＴ３０７）、そのＵＲＬ番号からアクセス先ＵＲＬを取得する（ステップＳＴ３０８）。
【００７９】
続いて、管理サーバ８０は、上述のステップＳＴ３０５及びステップＳＴ３０８で取得したＵＲＬに基づいて、アクセス先情報のレイアウト処理を行う（ステップＳＴ３０９）。
【００８０】
続いて、管理サーバ８０は、ＲＦＩＤ基本情報５００（図１０参照）とアクセス先情報に基づいて、ＨＴＭＬファイルを作成し（ステップＳＴ３１０）、そのＨＴＭＬファイルをカメラ付携帯電話機５０に送信する（ステップＳＴ３１１）。
【００８１】
送信が完了すると（ステップＳＴ３１２）、図７の統計データ格納用データベース（２１０）に、ＲＦＩＤ基本情報１４５（図３参照）、位置情報等を記録する（ステップＳＴ３１３）。
【００８２】
なお、上述のステップＳＴ３０１でユーザ認証ができない場合には、カメラ付携帯電話機５０に認証エラーの表示をさせる（ステップＳＴ３２１）。
また、上述のステップＳＴ３０４でＵＲＬ情報がない場合には、位置情報を確認し（ステップＳＴ３４１）、位置情報からＵＲＬ番号を取得し（ステップＳＴ３４２）、そのＵＲＬ番号からアクセス先ＵＲＬを取得する（ステップＳＴ３４３）。
【００８３】
（広告主サーバ９５及び管理サーバ８０の動作例について）
図１３は、広告主サーバ９５及び管理サーバ８０の動作例を示す図である。
図１３は、図８のステップＳＴ５３及びステップＳＴ５４に対応する広告主サーバ９５及び管理サーバ８０（図１参照）の動作例を示している。
【００８４】
管理サーバ８０が、広告主サーバ９５からの統計データの閲覧要求を受信し、閲覧ユーザ認証ができると（ステップ４０１）、広告主ＩＤから閲覧可能な閲覧可能ポスター識別番号を取得する（図７参照）。
【００８５】
続いて、ポスター識別番号に基づいて、統計データ２１１を集計し（ステップＳＴ４０３）、統計情報をＨＴＭＬファイルにして広告主サーバ９５に送信する（ステップＳＴ４０４）。
【００８６】
なお、上述のステップＳＴ４０１で、閲覧ユーザ認証ができない場合には、広告主サーバ９５に認証エラーを表示させる（ステップＳＴ４２１）。
【００８７】
（第２の実施の形態）
次に、第２の実施の形態について、説明する。
第２の実施の形態における掲載物関連情報収集管理システムの構成は、上記第１の実施の形態の掲載物関連情報収集管理システム１０と多くの構成が共通するため共通する部分は同一の符号等とし、説明を省略し、以下、相違点を中心に説明する。
【００８８】
第２の実施の形態における掲載物関連情報収集管理システムは、第１の実施の形態の掲載物関連情報収集管理システム１０と異なり、図１のＲＦタグ３１は図３のポスター基本情報１４６（図１４参照）にポスター位置は含まず、カメラ付携帯電話機５１（図１５参照）が位置情報を生成する。
【００８９】
図１４は、第２の実施の形態におけるＲＦタグ３１の主なソフトウエア構成を示す図である。
図１４に示すように、ポスター基本情報１４６は、ポスター位置を示す情報を含まない。
【００９０】
図１５は、第２の実施の形態におけるカメラ付携帯電話機５１のハードウエア構成を示す概略図である。
図１５に示すように、カメラ付携帯電話機５１は、位置情報衛星から位置情報信号を受信するための位置情報受信手段である例えば、ＧＰＳ装置５０ｊを有する。
【００９１】
図１６は、第２の実施の形態におけるカメラ付携帯電話機５１のソフトウエア構成を示す概略図である。
図１６に示すように、カメラ付携帯電話機５１は、位置情報衛星から取得した位置関連情報に基づいてポスター２０の位置情報を生成するための掲載物位置情報生成情報を格納する掲載物位置情報格納手段である例えば、位置情報生成用データベース１６２を有する。
【００９２】
ポスター２０の位置情報に基づいて、どのような地域に掲載物を掲示するのが宣伝効果を上げるために有効であるかを知るための基礎となる統計データをポスター２０の広告主に提供するためには、ポスター２０の位置情報は、一定の広がりをもった地域である例えば、新宿という地域の範囲で十分である。
従って、ポスター２０をその近くで見ている使用者Ａのカメラ付携帯電話機５１の位置は、ポスター２０の所在位置と同じと考えてよい。
このため、ポスター２０のポスター基本情報１４６にポスター２０の位置情報が含まれていないとしても、カメラ付携帯電話機５１によってポスター２０の位置情報を生成することができるのである。
従って、図１のＲＦタグ３１がポスター位置１４５ｂをデータとして有する必要はないから、ＲＦタグ３１の生産コストを低下させることができる。
【００９３】
（プログラム及びコンピュータ読み取り可能な記録媒体等について）
コンピュータに上述の動作例の基本情報読み取りステップと、統計基本情報生成ステップと、統計基本情報送信ステップと、使用者属性情報抽出ステップと、掲載物統計情報生成ステップ等を実行させるための統計管理装置の制御プログラムとすることができる。
また、このような統計管理装置の制御プログラム等を記録したコンピュータ読み取り可能な記録媒体等とすることもできる。
【００９４】
これら統計管理装置の制御プログラム等をコンピュータにインストールし、コンピュータによって実行可能な状態とするために用いられるプラグラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、  ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００９５】
本発明は、上述の各実施の形態に限定されない。さらに、上述の各実施の形態は、相互に組み合わせて構成するようにしてもよい。
【図面の簡単な説明】
【００９６】
【図１】本発明の実施の形態に係る掲載物関連情報収集管理システムを示す概略図である。
【図２】ＲＦタグのハードウエア構成を示す概略図である。
【図３】ＲＦタグの主なソフトウエア構成を示す概略図である。
【図４】カメラ付携帯電話機の主なハードウエア構成を示す概略図である。
【図５】カメラ付携帯電話機の主なソフトウエア構成を示す概略図である。
【図６】管理サーバの主なハードウエア構成を示す概略図である。
【図７】管理サーバの主なソフトウエア構成を示す概略図である。
【図８】本発明の実施の形態に係る掲載物関連情報収集管理システムの動作例を示す図である。
【図９】ＲＦタグの動作例を示す図である。
【図１０】カメラ付携帯電話機の動作例を示す図である。
【図１１】アクセス先情報等を示す図である。
【図１２】管理サーバの動作例を示す図である。
【図１３】広告主サーバ及び管理サーバの動作例を示す図である。
【図１４】ＲＦタグの主なソフトウエア構成を示す図である。
【図１５】カメラ付携帯電話機の主なハードウエア構成を示す概略図である。
【図１６】カメラ付携帯電話機の主なソフトウエア構成を示す概略図である。
【符号の説明】
【００９７】
１０・・・掲載物関連情報収集管理システム、２０・・・ポスター、３０・・・ＲＦタグ、５０・・・カメラ付携帯電話機、５０ａ・・・カメラレンズ、５０ｂ・・・通信アンテナ部、５０ｃ・・・液晶画面、５０ｄ・・・通信装置、５０ｅ・・・カメラ装置、５０ｉ・・・時計、１５２・・・ＲＦタグリーダ部、１６０・・・統計基本情報生成用データベース、２０６・・・ユーザ情報格納用データベース、２１０・・・統計データ格納用データベース、２１４・・・広告主情報格納用データベース、２１８・・・映画基本情報格納用データベース、２２２・・・所在位置対応情報取得用ＵＲＬ格納用データベース、２２６・・・一般情報提供用ＵＲＬ格納用データベース
【図１】
2005275726.tif 000003
【図２】
2005275726.tif 000004
【図３】
2005275726.tif 000005
【図４】
2005275726.tif 000006
【図５】
2005275726.tif 000007
【図６】
2005275726.tif 000008
【図７】
2005275726.tif 000009
【図８】
2005275726.tif 000010
【図９】
2005275726.tif 000011
【図１０】
2005275726.tif 000012
【図１１】
2005275726.tif 000013
【図１２】
2005275726.tif 000014
【図１３】
2005275726.tif 000015
【図１４】
2005275726.tif 000016
【図１５】
2005275726.tif 000017
【図１６】
2005275726.tif 000018